(57)【特許請求の範囲】
【請求項１】
表示パネルと前記表示パネルの光入射側に設けられた複数のマイクロレンズとを備えるマイクロレンズアレイ付き表示パネルの製造方法であって、
（ａ）マトリクス状に配置された複数の画素を有する表示パネルを用意する工程であって、前記複数の画素のそれぞれが、第１の色光を透過し、該第１の色を表示する第１絵素と、前記第１の色光と異なる第２の色光を透過し、該第２の色を表示する第２絵素とを含む複数の絵素を備える表示パネルを用意する工程と、
（ｂ）前記表示パネルの外側の一対の主面の一方の主面に光硬化性材料層を形成する工程と、
（ｃ）前記表示パネルを介して前記光硬化性材料層を露光する工程であって、少なくとも前記第１絵素を透過した光によって前記光硬化性材料層を部分的に硬化させる工程と、
（ｄ）前記露光された前記光硬化性材料層の未硬化部分を除去することによって複数のマイクロレンズを形成する工程と、
を包含する製造方法。
【請求項２】
前記工程（ａ）は、前記第１の色光の中心波長が前記複数の絵素が透過する色光の中心波長の中で最も短い波長である前記表示パネルを用意する工程である、請求項１に記載の製造方法。
【請求項３】
前記工程（ｂ）は、前記第１の色光の中心波長よりも短い波長の光に対して感光性を有する前記光硬化性材料層を形成する工程である、請求項１または２に記載の製造方法。
【請求項４】
前記工程（ｃ）は、前記第１絵素を透過した光によって、前記複数の画素のそれぞれが有する前記複数の絵素に対応する前記光硬化性材料層を部分的に硬化させる工程を包含し、
前記工程（ｄ）は、前記表示パネルの前記複数の画素の配列に応じて配列された複数のマイクロレンズを形成する工程を包含する、請求項１から３のいずれかに記載の製造方法。
【請求項５】
前記工程（ａ）は、前記複数の画素のそれぞれの略中央に前記第１絵素を有する前記表示パネルを用意する工程である、請求項１から３のいずれかに記載の製造方法。
【請求項６】
前記工程（ａ）は、前記複数の絵素が、赤色絵素と、青色絵素と、緑色絵素とを含む前記表示パネルを用意する工程であって、前記工程（ｃ）は少なくとも前記青色絵素を透過した光によって前記光硬化性材料層を部分的に硬化させる工程である、請求項１から５のいずれかに記載の製造方法。
【請求項７】
前記工程（ｂ）は、３８０ｎｍ以上４２０ｎｍ以下の波長範囲の光に対して感光性を有する前記光硬化性材料層を形成する工程である、請求項６に記載の製造方法。
【請求項８】
前記工程（ｃ）は、少なくとも前記青色絵素を透過した光によって、前記赤色絵素、前記青色絵素および前記緑色絵素に対応する領域の前記光硬化性材料層を部分的に硬化させる工程を含む、請求項６または７に記載の製造方法。
【請求項９】
前記工程（ｃ）は、略平行光で露光する工程であって、前記一方の主面に対する略平行光の入射角を変化させる工程を包含する、請求項１から８のいずれかに記載の製造方法。
【請求項１０】
前記工程（ｃ）は、それぞれが前記マトリクス状に配列された前記複数の画素の行に対応して配列された複数のレンチキュラーレンズが形成されるように、前記略平行光を走査する工程を包含する、請求項９に記載の製造方法。
【請求項１１】
前記工程（ｃ）は、それぞれが前記マトリクス状に配列された前記複数の画素が有する複数の絵素のそれぞれに対応して配列された複数のマイクロレンズが形成されるように、前記略平行光を走査する工程を包含する、請求項９に記載の製造方法。
【請求項１２】
前記工程（ｃ）は、光の配光分布を調整する工程を包含する、請求項１から１１のいずれかに記載の製造方法。
【請求項１３】
前記工程（ｃ）は、所定の透過率の分布を有するフォトマスクを用いて前記配光分布を調整する工程を包含する、請求項１２に記載の製造方法。
【請求項１４】
前記マイクロレンズは、頂上部に光の集光効果を有しない平坦部を有する、請求項１から１３のいずれかに記載の製造方法。
【請求項１５】
前記マイクロレンズがレンチキュラーレンズであり、前記平坦部のサイズが、前記レンチキュラーレンズの集光方向に対する前記表示パネルの前記絵素の開口部のサイズと略同じかまたは小さい、請求項１４に記載の製造方法。
【請求項１６】
前記マイクロレンズが前記表示パネルの前記複数の絵素の開口部のそれぞれに対応しており、前記平坦部のサイズが、前記絵素の前記開口部のサイズと略同じかまたは小さい、請求項１４に記載の製造方法。
【請求項１７】
請求項１から１６のいずれかに記載の製造方法によって製造されたマイクロレンズアレイ付き表示パネルを用意する工程と、
前記表示パネルの前記マイクロレンズ側に面光源を配置する工程と、
を包含する、表示装置の製造方法。
【請求項１８】
請求項１から１７のいずれかに記載の製造方法によって製造されたマイクロレンズアレイ付き表示パネルと、
前記表示パネルの前記マイクロレンズアレイに向けて光を出射する面光源と、
を備える表示装置。
【発明の詳細な説明】
【技術分野】
【０００１】
本発明は、マイクロレンズアレイ付き表示パネルの製造方法および表示装置ならびに露光装置に関する。
【背景技術】
【０００２】
液晶表示装置に代表される非自発光型の表示装置は、一般に、表示パネルの透過率（又は反射率）を駆動信号によって変化させ、表示パネルに照射される光源からの光の強度を変調して画像や文字を表示する。このような表示装置には、表示パネルに表示された画像などを直接観察する直視型表示装置と、表示パネルに表示された画像等を投影レンズによってスクリーン上に拡大投影する投影型表示装置（プロジェクタ）とがある。また、液晶表示パネル以外の非自発光型の表示パネルとしては、エレクトロクロミック表示パネル、電気泳動型表示パネル、トナー表示パネルやＰＬＺＴパネルなどが知られている。現在、液晶表示装置は、モニター、プロジェクタ、携帯情報端末、携帯電話などに幅広く利用されている。
【０００３】
液晶表示装置は、マトリクス状に規則的に配列された画素に画像信号に対応した駆動電圧をそれぞれ印加することによって、各画素の液晶層の光学特性を変化させ、画像や文字などを表示する。上述した画素に独立した駆動電圧を印加する方式としては、単純マトリクス方式と、アクティブマトリクス方式とがある。アクティブマトリクス方式の液晶表示パネルには、スイッチング素子と画素電極に駆動電圧を供給するための配線とを設ける必要がある。スイッチング素子としては、ＭＩＭ（金属−絶縁体−金属）素子などの非線形２端子素子やＴＦＴ（薄膜トランジスタ）素子等の３端子素子が用いられている。
【０００４】
表示パネルに設けたスイッチング素子（特にＴＦＴ）に強い光が入射すると、ＯＦＦ状態における素子抵抗が下がり、電圧印加時に絵素容量に充電された電荷が放電され、所定の表示状態が得られないため、黒状態でも光が漏れてコントラスト比が低下するという問題がある。
【０００５】
そこで、液晶表示パネルでは、例えば、ＴＦＴ（特にチャネル領域）に光が入射するのを防止するために、ＴＦＴや画素電極が設けられたＴＦＴ基板やＴＦＴ基板と液晶層を介して対向する対向基板に遮光層（ブラックマトリクスと称される）が設けられる。反射型液晶表示装置においては、反射電極を遮光層として用いれば、有効画素面積が低下することがないが、透過光を利用して表示を行う液晶表示装置においては、光を透過しないＴＦＴ、ゲートバスラインおよびソースバスラインに加えて遮光層を設けることによって有効画素面積が低下し、表示領域の全面積に対する有効画素面積の比率、すなわち開口率が低下する。
【０００６】
さらに、液晶表示パネルの高精細化、小型化が進むに連れてこの傾向は顕著になる。これは、画素のピッチを小さくしても、ＴＦＴやバスラインなどは、電気的性能や製造技術等の制約からある程度の大きさよりも小さくすることができないからである。
【０００７】
特に、近年、携帯電話などモバイル機器の表示装置として普及している半透過型の液晶表示装置は、個々の画素に反射モードで表示する領域（反射領域）と透過モードで表示する領域（透過領域）とを有しているので、画素ピッチを小さくすることによって、表示領域の全面積に対する透過領域の面積の比率（透過領域の開口率）が著しく低下する。
【０００８】
半透過型液晶表示装置は、暗い照明下では液晶表示パネルを透過するバックライトの光を利用して表示を行い、明るい照明下では周囲からの光を反射することによって表示を行うので、周囲の明るさに拘らず、コントラスト比の高い表示を実現できるのであるが、透過領域の開口率が小さくなると、輝度が低下するという問題がある。
【０００９】
特に、カラー表示を行うためにカラーフィルタによる光の吸収を利用する直視型液晶表示装置や単板式プロジェクタにおいては、さらに光の利用効率（すなわち明るさ）が低下する。
【００１０】
光の利用効率を改善するための一つの方法として、投影型液晶表示装置では、液晶表示パネルに、個々の画素に光を集光するマイクロレンズを設け、液晶表示パネルの実効的な開口率を向上させる方法が実用化されている。従来のマイクロレンズは、液晶表示パネルの対向基板内に形成されたものがほとんどであり、マイクロレンズが２枚のガラス板の間にサンドイッチされた構造を有している。
【００１１】
図２０（ａ）および（ｂ）を参照しながら、従来のマイクロレンズを備える対向基板の典型的な２つの製造方法を説明する。なお、規則正しく配列された複数のマイクロレンズをマイクロレンズアレイと総称する。
【００１２】
第１の製造方法は、図２０（ａ）に模式的に示す工程（ａ−１）〜（ａ−４）によって、マイクロレンズアレイを備える基板（マイクロレンズアレイ基板）を製造する。
【００１３】
（ａ−１）：ガラス基板の上のフォトレジスト層をパターニングする。
【００１４】
（ａ−２）：パターニングされたレジスト層を加熱し、熱だれを起こさせ、マイクロレンズの形状を有するレジスト層を形成する。
【００１５】
（ａ−３）：マイクロレンズ形状のレジスト層とともにガラス基板をドライエッチングすることによりレジスト層の形状をガラス基板に形成（エッチバック）し、マイクロレンズアレイ基板を得る。
【００１６】
（ａ−４）：得られたマイクロレンズアレイ基板に接着層を介してカバーガラスを接着し、カバーガラスの表面を研磨し、対向基板が得られる。なお、必要に応じて、電極や配向膜などが形成される。
【００１７】
第２の製造方法は、図２０（ｂ）に模式的に示す工程（ｂ−１）〜（ｂ−４）によって、マイクロレンズアレイを備える対向基板を製造する。
【００１８】
（ｂ−１）：ガラス基板の上のフォトレジスト層を例えば電子ビーム露光によってパターニングし、マイクロレンズの形状を有するレジスト層を形成する。これをマスター（原版）とする。
【００１９】
（ｂ−２）：マスターを用い、例えばメッキ法によって、金属スタンパを作製する。
【００２０】
（ｂ−３）：金属スタンパを用いて、マイクロレンズの形状をガラス基板に転写し、マイクロレンズアレイ基板を得る。
【００２１】
（ｂ−４）：得られたマイクロレンズアレイ基板に接着層を介してカバーガラスを接着し、カバーガラスの表面を研磨し、対向基板が得られる。
【００２２】
また、特許文献１は、液晶表示パネルの画素を利用して、対向基板表面に塗布した感光性材料を露光することにより、画素に対して自己整合的にマイクロレンズを形成する方法を開示している。この方法によると、マイクロレンズと画素との間にアライメントずれが発生することが無く、また、低コストでマイクロレンズを製造できるという利点がある。
【特許文献１】特開２００２−６２８１８号公報
【発明の開示】
【発明が解決しようとする課題】
【００２３】
しかしながら、特許文献１に記載されている方法は、感光性材料を露光するために紫外線を用いるので、カラーフィルタを有しない表示パネル（例えば３板式プロジェクタ用の液晶表示パネル）には適用できるものの、カラーフィルタを有する表示パネルには適用できない。なぜならば、カラーフィルタが紫外線を吸収するので、カラーフィルタを介して紫外線を感光性材料に照射することができないからである。実際、特許文献１は、カラーフィルタを有する表示パネルにマイクロレンズを形成する方法には言及すらしていない。
【００２４】
なお、液晶表示パネルを作製する前の段階、すわなち、対向基板にカラーフィルタを形成する前に、対向基板（またはＴＦＴ基板）に上記の方法で、マイクロレンズを形成することはできるが、両基板を貼り合わせる工程のアライメントずれの影響を受けることになり、上記方法の利点の一部が損なわれる。また、マイクロレンズの効果を十分に発揮させるためには、マイクロレンズが形成されたガラス基板の厚さを０．５ｍｍより薄くすることが好ましいが、多面取りで作られる液晶表示パネルは、数十ｃｍ2以上のマザーガラス基板を用いて製造され、このマザーガラス基板を薄くすると、ハンドリング上の問題が発生する。さらに、ＴＦＴ基板にマイクロレンズを作成する場合は、基板に数百度におよぶ温度がかかるため、感光性材料自体がもたない。従って、液晶表示パネルが作製された後（すなわち、両基板を貼り合せた後）、ガラス基板を所望の厚さにエッチングまたは研磨した後、マイクロレンズを形成することが好ましい。
【００２５】
液晶表示装置を例に従来のマイクロレンズアレイ付き表示パネルの製造方法の問題点を説明したが、上述の問題は、液晶表示装置に限られず、他の非自発光型表示装置に共通の問題である。また、カラーフィルタを備える構成を例示したが、これに限られず、例えばゲストホスト液晶表示装置のように、表示媒体層（液晶層）に混合した色素等を用いてカラー表示を行う表示装置も同様の問題を有している。
【００２６】
本発明は、上記諸点に鑑みてなされたものであり、その主な目的は、カラー表示パネル上に自己整合的にマイクロレンズを製造する方法を提供することにある。
【課題を解決するための手段】
【００２７】
本発明のマイクロレンズアレイ付き表示パネルの製造方法は、表示パネルと前記表示パネルの光入射側に設けられた複数のマイクロレンズとを備えるマイクロレンズアレイ付き表示パネルの製造方法であって、（ａ）マトリクス状に配置された複数の画素を有する表示パネルを用意する工程であって、前記複数の画素のそれぞれが、第１の色光を透過する第１絵素と、第１の色光と異なる第２の色光を透過する第２絵素とを含む複数の絵素を備える表示パネルを用意する工程と、（ｂ）前記表示パネルの互いに対向する一対の主面の一方の主面に光硬化性材料層を形成する工程と、（ｃ）前記表示パネルを介して前記光硬化性材料層を露光する工程であって、少なくとも前記第１絵素を透過した光によって前記光硬化性材料層を少なくとも部分的に硬化させる工程と、（ｄ）前記露光された前記光硬化性材料層の未硬化部分を除去することによって複数のマイクロレンズを形成する工程とを包含する。
【００２８】
なお、本発明の説明において、「画素」は、それぞれが特定の色光を透過する複数の「絵素」から構成されるものとする。典型的には、赤色光を透過する赤色絵素（Ｒ絵素）、緑色光を透過する緑色絵素（Ｇ絵素）および青色光を透過する青色絵素（Ｂ絵素）が各画素を構成する。但し、各画素が有する絵素は、この例に限られず、Ｒ絵素、Ｇ絵素およびＢ絵素に加えて、他の色光（例えば白色光）を透過するＷ絵素をさらに有しても良いし、Ｃ（シアン）、Ｍ（マゼンタ）、Ｙ（イエロー）の各色光を透過する絵素を有しても良いし、１つの画素が同じ色光を透過する絵素を複数含んでも良い。なお、本明細書では、絵素内の光を透過する領域を「絵素の開口部」と呼ぶ。
【００２９】
ある実施形態において、前記工程（ａ）は、前記第１の色光の中心波長が前記複数の絵素が透過する色光の中心波長の中で最も短い波長である前記表示パネルを用意する工程である。
【００３０】
ある実施形態において、前記工程（ｂ）は、前記第１の色光の中心波長よりも短い波長の光に対して感光性を有する前記光硬化性材料層を形成する工程である。
【００３１】
ここで、絵素を透過する色光の中心波長とは、それぞれの絵素を透過した可視光（３８０ｎｍ以上８００ｎｍ以下）の色を規定する波長範囲の中心の波長を指し、例えば、赤色光であれば６００ｎｍ〜６５０ｎｍ、緑色光であれば５２０ｎｍ〜５８０ｎｍ、青色光であれば４３０ｎｍ〜４９０ｎｍの範囲内に中心波長を有する。但し、絵素を透過する可視光の波長範囲内であっても、透過率が相対値で１０％以下の波長の光は考慮しない。
【００３２】
ある実施形態において、前記工程（ｃ）は、前記第１絵素を透過した光によって、前記複数の画素のそれぞれが有する前記複数の絵素に対応する前記光硬化性材料層を少なくとも部分的に硬化させる工程を包含し、前記工程（ｄ）は、前記表示パネルの前記複数の画素の配列に応じて配列された複数のマイクロレンズを形成する工程を包含する。複数のマイクロレンズアレイは、例えば、それぞれがマトリクス状に配列された複数の画素の行に対応して配列された複数のレンチキュラーレンズであっても良いし、それぞれが複数の画素のそれぞれに対応する複数のマイクロレンズであっても良い。さらに、マトリクス状に配列された複数の画素が有する絵素のそれぞれに対応して配列された複数のマイクロレンズであってもよい。それぞれの絵素が透過領域と反射領域とを有する半透過型表示装置においては、それぞれの透過領域（絵素の開口部）に対応するマイクロレンズであってもよい。また、複数のマイクロレンズは、矩形レンズ（正方レンズを含む）のようにそれぞれ独立したレンズとして形成されても良いし、レンチキュラーレンズにように複数のマイクロレンズが一体に形成されても良い。
【００３３】
ある実施形態において、前記工程（ａ）は、前記複数の画素のそれぞれの略中央に前記第１絵素を有する前記表示パネルを用意する工程である。
【００３４】
ある実施形態において、前記工程（ａ）は、前記複数の絵素が、赤色絵素と、青色絵素と、緑色絵素とを含む前記表示パネルを用意する工程であって、前記工程（ｃ）は少なくとも前記青色絵素を透過した光によって前記光硬化性材料層を少なくとも部分的に硬化させる工程である。
【００３５】
ある実施形態において、前記工程（ｂ）は、３８０ｎｍ以上４２０ｎｍ以下の波長範囲の光に対して感光性を有する前記光硬化性材料層を形成する工程である。
【００３６】
ある実施形態において、前記工程（ｃ）は、少なくとも前記青色絵素を透過した光によって、前記赤色絵素、前記青色絵素および前記緑色絵素に対応する領域の前記光硬化性材料層を少なくとも部分的に硬化させる工程を含む。
【００３７】
ある実施形態において、前記工程（ｃ）は、略平行光で露光する工程であって、前記一方の主面に対する略平行光の入射角を変化させる工程を包含する。
【００３８】
ある実施形態において、前記工程（ｃ）は、それぞれが前記マトリクス状に配列された前記複数の画素の行に対応して配列された複数のレンチキュラーレンズが形成されるように、前記略平行光を走査する工程を包含する。
【００３９】
ある実施形態において、前記工程（ｃ）は、それぞれが前記マトリクス状に配列された前記複数の画素が有する複数の絵素のそれぞれに対応して配列された複数のマイクロレンズが形成されるように、前記略平行光を走査する工程を包含する。
【００４０】
ある実施形態において、前記工程（ｃ）は、光の配光分布を調整する工程を包含する。
【００４１】
ある実施形態において、前記工程（ｃ）は、所定の透過率の分布を有するフォトマスクを用いて前記配光分布を調整する工程を包含する。
【００４２】
ある実施形態において、前記マイクロレンズは、頂上部に光の集光効果を有しない平坦部を有する。
【００４３】
ある実施形態において、前記マイクロレンズがレンチキュラーレンズであり、前記平坦部のサイズが、前記レンチキュラーレンズの集光方向に対する前記表示パネルの前記絵素の開口部のサイズと略同じかまたは小さい。
【００４４】
ある実施形態において、前記マイクロレンズが前記表示パネルの複数の絵素の開口部それぞれに対応しており、前記平坦部のサイズが、前記絵素の開口部のサイズと略同じかまたは小さい。
【００４５】
本発明の表示装置の製造方法は、上記のいずれかの製造方法によって製造されたマイクロレンズアレイ付き表示パネルを用意する工程と、前記表示パネルの前記マイクロレンズ側に面光源を配置する工程とを包含する。
【００４６】
本発明の表示装置は、上記のいずれかの製造方法によって製造されたマイクロレンズアレイ付き表示パネルと、前記表示パネルの前記マイクロレンズアレイに向けて光を出射する面光源とを備える。
【００４７】
本発明の露光装置は、感光性樹脂層を露光するための露光装置であって、略平行光を出射する光学系と、前記感光性樹脂層が形成された被露光物を受容する受容面を有するステージと、前記光学系から出射される前記略平行光の前記ステージの前記受容面に対する入射角を連続的または段階的に変化させる入射角制御機構とを備える。本発明の露光装置は、上記マイクロレンズアレイ付き表示パネルの製造方法に好適に用いることができる。
【００４８】
ある実施形態において、前記入射角制御機構は、前記受容面に対する入射角を所定の速度で変化させることができる。前記所定の速度は使用者が設定する。
【００４９】
ある実施形態において、前記入射角制御機構は、前記速度を変化させることができる。前記速度は、連続的または段階的に変化させられる。
【００５０】
ある実施形態において、前記入射角制御機構は、前記速度を前記入射角と関連付けて段階的に変化させることができる。
【００５１】
ある実施形態において、前記入射角制御機構は、照射時間と関連付けて前記入射角を変化させることができる。
【００５２】
ある実施形態において、前記入射角制御機構は、前記受容面に配置された前記被露光物の所定の方向に延びるある軸を中心に前記受容面を回転させる機構を含む。
【００５３】
ある実施形態において、前記光学系は、光源部と、光源部からの光を反射するミラー部とを有し、前記入射角制御機構は、前記ミラー部における前記光の反射角度を変化させる機構を含む。
【００５４】
ある実施形態において、前記入射角制御機構は、前記ステージの前記受容面に対する前記光学系の位置を変化させる機構を含む。
【００５５】
本発明のマイクロレンズアレイを形成する方法は、上記のいずれかの露光装置を用いて、光硬化性樹脂を露光することを特徴とする。
【発明の効果】
【００５６】
本発明のマイクロレンズアレイ付き表示パネルの製造方法は、特定の色光（例えば第１の色光：青色光）に露光されることによって硬化する光硬化性材料（典型的には光硬化性樹脂）を用いてマイクロレンズを形成するので、特定の色絵素を透過した光を利用してカラー表示パネルの画素（または絵素）に対して自己整合的にマイクロレンズを形成することができる。
【００５７】
本発明の製造方法によると、例えば、Ｒ、ＧおよびＢ絵素からなる画素に対応して、Ｂ絵素を透過した光を用いてマイクロレンズを形成することができるし、あるいは、Ｒ絵素、Ｇ絵素およびＢ絵素のそれぞれに対応するマイクロレンズを形成することもできる。
【００５８】
従って、非常に低コストでマイクロレンズの形成ができるとともに、画素または絵素に対して自己整合的にマイクロレンズが配置されるので、マイクロレンズの集光機能が十分に発揮される結果、高輝度な表示が可能な表示装置を製造することができる。また、マイクロレンズによって集光された光は絵素を通過後、その集光角のままで発散するため、視野角を広げる効果が得られる。すなわち、本発明による直視型の表示装置は、高輝度で広視野角という特徴を有する。
【００５９】
また、光硬化性材料を感光させる（硬化させる）光として、画素を構成する複数の絵素の中で、透過する色光の中心波長が最も短い波長である絵素を透過した光を利用すれば、光硬化性材料（光反応開始剤）による吸収があっても、その影響は僅かであり、表示における色再現性の低下が抑制される。典型的には青色絵素を透過した光を用いることが好ましく、青色光の中心波長（例えば４５０ｎｍ）よりも短い波長の光を用いることがさらに好ましい。特に、３８０ｎｍ〜４２０ｎｍの範囲の波長の光を用いることが好ましい。
【発明を実施するための最良の形態】
【００６０】
以下、図面を参照しながら、本発明による実施形態のマイクロレンズアレイ付き表示パネルの製造方法およびそれを備える液晶表示装置を説明するが、本発明はこれらに限定されるものではない。
【００６１】
図１を参照しながら、本発明による実施形態のマイクロレンズアレイ付き表示パネル１００の製造方法を説明する。図１（ａ）〜（ｄ）は、本発明による実施形態のマイクロレンズアレイの製造方法を説明するための模式的な断面図である。
【００６２】
まず、図１（ａ）に示すように、カラー液晶表示パネル１０１を用意する。ここでは、絵素に対応してＲ、ＧおよびＢのカラーフィルタ１０４Ｒ、１０４Ｇ、１０４Ｂが形成された液晶表示パネル１０１を用意する。なお、ここでは、簡単のために、カラーフィルタ１０４Ｒ、１０４Ｂおよび１０４Ｇにそれぞれ対応する絵素をＲ絵素１０４Ｒ、Ｂ絵素１０４ＢおよびＧ絵素１０４Ｇと呼ぶこともある。また、ここでは簡単のために、各絵素の開口部（透過領域）に対応する領域を絵素１０４Ｒ、１０４Ｇ、１０４Ｂとして図示している。なお、絵素の開口部は絵素のほぼ中央に配置された例を示しているが、これに限られない。
【００６３】
液晶表示パネル１０１は、ＴＦＴ基板１０２と、カラーフィルタ１０４Ｒ、１０４Ｇおよび１０４Ｂが形成された対向基板１０３とを有している。ＴＦＴ基板１０２と対向基板１０３との間には所定の液晶層（不図示）が形成されている。ＴＦＴ基板１０２の液晶層側には、マトリクス状に配列された絵素に対応して設けられた画素電極、画素電極に接続されたＴＦＴ、ゲートバスラインおよびソースバスラインなどの回路要素（いずれも不図示）が形成されている。また、対向基板１０３の液晶層側にはカラーフィルタ１０４Ｒ、１０４Ｇおよび１０４Ｂと、これらの間に配置された遮光層ＢＭおよび対向電極（不図示）が形成されている。また、ＴＦＴ基板１０２および対向基板１０３の液晶層に接する面に、必要に応じて配向膜（不図示）が形成されている。
【００６４】
図１（ｂ）に示すように、液晶表示パネル１０１のＴＦＴ基板１０２上に、光硬化樹脂を塗布し、光硬化性樹脂層１０５を形成する。ここでは３８０ｎｍから４２０ｎｍの波長範囲内に感光波長を有する光硬化性樹脂を用いる。
【００６５】
なお、光硬化性樹脂層１０５とＴＦＴ基板１０２との接着性を高めるために、光硬化性樹脂を塗布する前に、ＴＦＴ基板１０２のガラス表面にシランカップリング剤を塗布するなどして、表面改質することが好ましい。
【００６６】
ここで、図２Ａを参照しながら、カラーフィルタ１０４Ｒ、１０４Ｇ、１０４Ｂの分光透過率特性を説明する。
【００６７】
カラーフィルタ１０４Ｒ、１０４Ｇが形成された絵素からは、４００ｎｍ近辺の光はほとんど透過しないため、４００ｎｍ近辺の露光用照射光１０６を液晶表示パネル１０１の対向基板１０３側から入射させても、これらの絵素を透過した光で光硬化性樹脂はほとんど感光（硬化）されない。
【００６８】
青色カラーフィルタ１０４Ｂの透過波長域の短波長側（特に、３８０ｎｍから４２０ｎｍ）に感光波長を有する感光性材料層を用いることにより、カラーフィルタ１０４Ｂからの透過光で感光性材料を感光させると同時に、可視域の透過率の非常に高いマイクロレンズを形成することができる。すなわち、通常、感光性材料はその感光波長の光を吸収するため、例えば、赤（Ｒ）または緑（Ｇ）に感光波長を有する光硬化性材料を用いると、ＲまたはＢの光の一部を吸収するため、表示における色再現性が低下する。青（Ｂ）の場合も同様の現象が起こるが、色再現性に与える影響は小さい。特に、例えば、携帯電話やＰＤＡ、デジタルスチルカメラなどの液晶表示装置に使用されているバックライト用光源であるＬＥＤ光源など、発光スペクトルが図２Ｂに示すように４２０ｎｍ付近より長波長側に存在する光源を用いる場合、３８０ｎｍ〜４２０ｎｍの範囲の波長の光を用いると色再現性の低下を更に効果的に抑制することができる。
【００６９】
なお、一般に、３８０ｎｍ未満の波長の光（紫外線）を透過するカラーフィルタ（色素や顔料）はほとんど無く、紫外線を用いるためには、上述したように、カラーフィルタを形成する前の段階で、光照射する必要がある。
【００７０】
カラーフィルタ１０４Ｂが形成された絵素を透過した光は、図２Ａに示すように４００ｎｍ近辺の光を含んでいるため、この絵素（青色絵素）を透過した光が光硬化性樹脂層１０５に入射すると、光量に応じて光硬化性樹脂が感光し、硬化する。照射時間が一定の場合には配光分布に応じて硬化する。すなわち、硬化度の分布が形成される。従って、光量（配光分布および／または照射時間）の分布を調整することによって、光硬化性樹脂層に硬化度の分布を形成することができる。なお、「配光分布」とは、表示パネルに入射させる感光性材料層を露光するための光の、表示パネルの面法線に対して成す角度（入射角度）に対する強度分布のことであり、青色絵素への入射角と感光性材料層への入射位置が１：１で対応する。
【００７１】
露光した光硬化性樹脂層を現像することによって未硬化部分を除去すれば、硬化度の分布に対応した形状のマイクロレンズが得られる。配光分布は、例えば、露光用照射光の入射角を変化することによって調整できる。また、露光用照射光と光硬化性樹脂層１０５とを相対的に移動させる、例えば、露光用照射光を走査することによって、照射時間の分布を調整しても良いし、これらを組み合わせてもよい。さらに、所定の透過率の分布を有するフォトマスクを用いて配光分布を調整してもよい。また、露光用照射光を青色絵素１０４Ｂを介して光硬化性樹脂層１０５に斜めに入射させることによって、Ｂ絵素１０４Ｂと同じ画素に含まれるＲ絵素１０４ＲおよびＧ絵素１０４Ｇに対応するマイクロレンズ（すなわち画素に対応するマイクロレンズ）、例えばレンチキュラーレンズを形成することもできるし、Ｂ絵素１０４Ｂ、Ｒ絵素１０４ＲおよびＧ絵素１０４Ｇのそれぞれに対応するマイクロレンズ（すなわち、各絵素の開口部に対応するマイクロレンズ）を形成することもできる。露光用照射光を透過する絵素の開口部を画素の略中央に配置すれば、光量の分布を簡便に調整できるので好ましい。例えば、赤色絵素、青色絵素および緑色絵素がこの順に対称に配列された画素の場合、青色絵素を中心に露光用照射光を対称に走査すれば、画素の中心線に対して対称な形状のマイクロレンズを容易に形成することができる。
【００７２】
図３（ａ）から（ｃ）を参照しながら、画素に対応するレンチキュラーレンズを形成する例を説明する。図３（ａ）は、マイクロレンズアレイ付き表示パネル１００の１つの画素に対応する部分を模式的に示す平面図および断面図であり、対向基板１０３は省略している。図３（ｂ）および（ｃ）は、図３（ａ）に示したマイクロレンズアレイ付き表示パネルを作製するための露光工程（図１（ｃ））の詳細を説明するための図であり、図３（ｂ）は図３（ａ）のＡ−Ａ’線に沿った模式的な断面図であり、図３（ｃ）は図３（ａ）のＢ−Ｂ’線に沿った模式的な断面図である。
【００７３】
図３（ａ）に示すように、この表示パネル１００の１つの画素は、Ｒ絵素１０４Ｒ、Ｂ絵素１０４ＢおよびＧ絵素１０４Ｇで構成されている。各絵素の周囲にはブラックマトリクスＢＭ（遮光領域）が設けられている。画素は、行（Ｘ方向）および列（Ｙ方向）を形成するようにマトリクス状に配列されており、ここでは、Ｘ方向の画素ピッチＰXおよびＹ方向の画素ピッチＰYがいずれも１５０μｍの場合を例示している。ＴＦＴ型表示装置の場合、典型的には、行方向（Ｘ方向）はゲートバスラインに平行であり、列方向（Ｙ方向）はソースバスライン（ビデオライン）に平行である。
【００７４】
表示パネル１００が有するマイクロレンズアレイは、複数の画素の行に対応して配列された複数のレンチキュラーレンズ１０７を含む。レンチキュラーレンズ１０７は、行方向（Ｘ方向）に延び、列方向（Ｙ方向）には集光力を有するが、行方向（Ｘ方向）には集光力を有しない。
【００７５】
図３（ｂ）および（ｃ）を参照しながら、レンチキュラーレンズ１０７を形成するための露光工程を説明する。
【００７６】
図３（ｂ）に示すように、照射光１０６が液晶表示パネル１０１に対する入射方向を、Ａ−Ａ’線を含む面内において入射角θ１で規定される方向から入射角θ２で規定される方向に変化させ、図３（ｃ）に示すようにＢ−Ｂ’線を含む面内においては、入射角θ３で規定される方向から入射角θ４で規定される方向に変化させる。すなわち、照明光１０６の入射角をＡ−Ａ’線を含む面内においてθ１からθ２まで連続的にまたは段階的に変化させ、Ｂ−Ｂ’線を含む面内においてθ３からθ４まで連続的にまたは段階的に変化させる。露光照射光１０６としては平行光を用いることが好ましい。露光用照射光の平行度は、±３°以内であることが好ましく、マイクロレンズの形状を精度よく制御するためには、±１°以内であることが更に好ましい。
【００７７】
このとき、照射光１０６の入射角度θ１とθ２、およびθ３とθ４は、マイクロレンズが隙間なく形成されるように、設定することが好ましい。例えば、入射角θ１とθ２は、図３（ｂ）に示すように、隣接する画素のＢ絵素を透過した光が、隣接する画素の間の中央部（図３（ｂ）中のポイントａ）で一致し、隣り合う画素に対応したレンチキュラーレンズ間の膜厚が同じになるように、液晶表示パネル１０１の画素ピッチＰXおよび対向基板１０３の厚さに応じて、適宜設定する。また、入射角θ３とθ４は、図３（ｃ）に示すように、隣接する画素のＢ絵素を透過した光が、隣接する画素の間の中央部（図３（ｃ）中のポイントｂ）で一致し、レンズ間の境界ができるように（隣接する画素の間の中央部でレンズの膜厚が一番薄い状態になるように）、液晶表示パネル１０１の画素ピッチＰYおよび対向基板１０３の厚さに応じて、適宜設定する。
【００７８】
ここで例示した液晶表示パネル１０１は、行方向（カラーフィルタの配列方向）の画素ピッチＰXが１５０μｍ、行方向に直交する列方向の画素ピッチＰYが１５０μｍ、対向基板１０３の物理的な厚さは４００μｍ（空気換算で４００／１．５２＝２６０μｍ）であるため、θ１とθ２、θ３とθ４は、
θ１＝θ２＝θ３＝θ４＝  ｔａｎ-1（７５／２６０）＝約１６°
となる。
【００７９】
また、光は斜めに入射させるほど（入射角が大きくなるほど）照射面での照射面積が広がるため、照射強度が弱くなる。従って、上記入射角θ１とθ２（θ３とθ４）は、光硬化性樹脂層１０５に形成すべき硬化度分布（マイクロレンズの形状）に応じて、上記計算で得られた角度から調整が必要な場合がある。
【００８０】
次に照射光１０６のスキャン方法について説明する。ここで「スキャン」とは、露光用照射光１０６が照射される領域の２次元的に走査すること、および、照射光の入射角度を変化させることを含む。また、スキャンは、照射光１０６と光硬化性樹脂層１０５との位置関係および角度が相対的に変化すれば良いので、光硬化性樹脂層１０５が形成された液晶パネル１０１を動かしても良いし、照射光（光源）を動かしてもよい。
【００８１】
本実施形態では、カラーフィルタ１０４Ｒ、１０４Ｇ、１０４Ｂの配列方向（行方向：Ｘ方向）には、集光力を有しないレンチキュラーレンズ１０７を形成するため、Ｘ方向（Ａ−Ａ’線に平行）に対しては、光量（照度×時間）の分布が均一になるようにスキャンを行い、Ｙ方向（Ｂ−Ｂ’線に平行）に対しては、照射光の入射角度が大きいほどスキャンスピードを速くし、入射角度が小さいほど（表示パネルの法線方向に近づくほど）、スキャンスピードを遅くする。例えば、入射角を表示パネルの法線に対して−３０°から＋３０°まで走査する場合、−３０°から−１０°までの角度範囲を５°／ｓｅｃの速度で走査し、−１０°から＋１０°の角度範囲を３°／ｓｅｃの速度で走査し、さらに、＋１０°から＋３０°までの角度範囲を５°／ｓｅｃの速度で走査する。
【００８２】
このように、照射光１０６をスキャンしながら、光硬化性樹脂層１０５を露光することによって、図４に模式的に示すように、Ｘ方向に対しては曲率を有せず、Ｙ方向にのみ曲率を有するレンチキュラーレンズ１０７に対応する部分１０５’を硬化させることができる。
【００８３】
また、照射光１０６をＸ方向およびＹ方向にスキャンする方法としては、図５に模式的に示すように、Ｘ方向およびＹ方向の両方向に対して、スキャンを行う。図５は、照射光１０６によって照射される領域１０６ａが光硬化性樹脂層１０５に対して走査される軌跡を示している。また、照明光の入射角度は、連続的に変化させてもよく、段階的に変化させてもよい。
【００８４】
露光工程の後、現像工程において、光硬化性樹脂層１０５の未硬化部分を除去することによって、硬化部分１０５’の形状を有するレンチキュラーレンズ１０７が得られる。なお、現像工程の後で、光硬化性樹脂層１０５の硬化部分１０５’（レンチキュラーレンズ１０７）に再度、露光用照射光を照射することによって、光硬化性樹脂の硬化を更に進行させ、完全硬化状態に近づけることが好ましい。また、光硬化とともに熱硬化を併用してもよい。
【００８５】
次に、上述の製造方法の露光工程に好適に用いられる露光装置の例を図６、図７および図８を参照しながら説明する。
【００８６】
図６〜８に示す本発明による実施形態の露光装置は、表示パネルの主面に形成された光硬化性樹脂層を露光するための略平行光を出射する光学系と、表示パネルを受容する受容面を有するステージと、光学系から出射される略平行光のステージの受容面に対する入射角を連続的または段階的に変化させる入射角制御機構とを備える。入射角制御機構は、受容面に対する入射角を所定の速度で変化させることができることが好ましく、所定の速度は、入射角および光量等に応じて、使用者が設定する。
【００８７】
さらに、入射角制御機構は、上記速度を連続的または段階的に変化させられる（可変とする）ことが好ましい。例えば、上述したように、マイクロレンズを形成する一連の過程において光量を調節するために、速度を入射角と関連付けて段階的に変化させられることが好ましい。入射角が変化する速度を調整することにより、所望形状により近いマイクロレンズ形状を得ることができる。
【００８８】
さらに、入射角制御機構は、照射時間と関連付けて入射角を変化させることができることが好ましい。照射時間は、例えば、光学系と受容面の間に設けれられたシャッターの開閉によって制御され、入射角制御機構は、シャッターを開状態とした時刻を基準に入射角を変化させる。
【００８９】
図６（ａ）に示す露光装置は、略平行光を出射する光学系（光源部）３１０と、表示パネル１０１を受容する受容面を有するステージ３２０と、ステージ制御装置３２４とを備えている。表示パネル１０１の主面には光硬化性樹脂層１０５が形成されている。ステージ３２０は、ステージ制御装置３２４からの信号に従って、ステージ３２０の受容面に配置された表示パネル１０１の面内の所定の方向に延びるある軸を中心に受容面を回転させる。ただし、完全に回転する必要はなく、図６（ａ）中の６Ｃで示す円弧を描くように所定の角度範囲で動作すればよい。
【００９０】
受容面を回転させる軸は、図６（ｂ）に示すように、表示パネル１０１のマトリクス状に配列されている画素行方向に延びる６Ａ−６Ａ’軸および／またはこれに直交する方向（典型的には画素列方向）に延びる６Ｂ−６Ｂ’軸である。ステージ３２０は、少なくとも１つの軸を中心に受容面を回転できればよく、受容面に対して表示パネル１０１を所定の方向に回転されるように配置すればよい。また、このとき、硬化性樹脂層１０５中に回転軸が位置するように配置することが好ましい。
【００９１】
図７に示す露光装置は、略平行光を出射する光源部３１０と、光源部３１０からの光を反射するミラー部とを有している。ミラー部は、ミラー３３２とミラー３３２における反射角度θｒ（ミラーに対する入射角度θｉと等しい）を変化させるミラー駆動部３３４と、ミラー駆動部３３４を制御するミラー制御部３３６を有しており、これらがステージ３２０の受容面に配置された表示パネル１０１に対する光の入射角を変化させる。すなわち、ミラー３３２の表面（すなわち反射面）の角度を変化させることによって、表示パネル１０１に対する光の入射角を変化させる。ミラー３３２は、たとえば、図７中に示した円弧７Ｃを描くように、および／または紙面に垂直な面内で円弧を描くように動作される。
【００９２】
この露光装置において、ミラー３３２の角度だけを変えると、表示パネル１０１に対する光の入射角度が変化するだけでなく、照射位置も変化する。したがって、ミラー３３２の可動角度範囲の全てにおいて表示パネル１０１の全面を照射するためには、照射領域を表示パネル１０１よりも大きくする必要があり、光源部３１０を大型化するためのコストが高くなる。これを防止するためには、ミラー３３２の角度を７Ｃの円弧を描くように変化するのと連動して、ミラー３３２を図７に示す７Ａ−７Ａ’方向に移動させる機構を設けることによって、ミラー３３２の角度の変化に伴う照射領域のズレを補正することができる。ミラー３３２の角度を紙面に垂直な面内で円弧を描くように変化させる場合は、紙面に垂直な方向７Ｂ、７Ｂ’にミラー３３２を移動させる機構を設ければよい。
【００９３】
図８に示す露光装置は、ステージ３２０の受容面に対する光学系３１０の位置を変化させる機構を有している。光学系３１０は、光学系制御部３１２からの信号に従って、たとえば、図８中の８Ｃで示す円弧を描くように動作し、ステージ３２０の受容面の表示パネルに向けて出射する略平行光の入射角度が変化する。
【００９４】
この露光装置も図７に示した露光装置と同様に、光源部３１０の角度だけを変えると、表示パネル１０１に対する光の入射角度が変化するだけでなく、照射位置も変化する。従って、図８中の８Ａ−８Ａ’方向や８Ｂまたは８Ｂ’の方向に対して、表示パネル１０１の表示部の中心軸（図６中の６Ａ−６Ａ’、６Ｂ−６Ｂ’参照）を中心とする同心円上に回転させるように、光源部３１０の角度と位置とを変えることが好ましい。
【００９５】
上述した入射角度制御機構は、照射時間と関連付けて入射角を変化させることができることが好ましい。照射時間（露光時間）は、例えば、光学系（光源部）３１０とステージ３２０の受容面との間に設けられたシャッター（不図示）の開閉によって制御される。従って、シャッターの開閉動作と入射角度制御機構とを連動させればよい。
【００９６】
例えば、ステージを所定の入射角（例えば−３０°）となる位置に設定した後、シャッターを開状態とした時刻を基準に、−１０°までの角度範囲を５°／ｓｅｃの速度で変化させる。この後、−１０°から＋１０°の角度範囲を３°／ｓｅｃの速度で変化させ、さらに、＋１０°から＋３０°までの角度範囲を５°／ｓｅｃの速度で変化させる。入射角が＋３０°に到達した時点で、シャッターを閉じる。これらの一連の動作はシャッターを開状態とした時刻を基準に、時間に基づいて制御することができる。
【００９７】
また、図６から図８に示した露光装置の入射角度制御機構は、適宜組み合わせることができる。図５を参照しながら説明したような２軸スキャンを行う場合には、図６から図８に示した露光装置の入射角度制御機構を組み合わせることによって、たとえば、２軸のうちの１軸をステージ３２０の制御で行い（図６）、もう一方の軸をミラー３３２の制御で行う（図７）ことができる。このような構成とすることによって、１つの部位で２軸を動かす機構を備える必要がなくなるため、露光装置の設計が容易となる。
【００９８】
なお、露光工程は、表示パネル１０１ごとに行ってもよし、複数枚の表示パネル１０１を含む大判に対して、一度に行ってもよい。
【００９９】
図６〜図８には、表示パネル１０１を介して硬化性樹脂層１０５を露光する例を示したが、これに限られない。例えば、逆に、硬化性樹脂層１０５側から露光してもよい。ただし、この場合、硬化性樹脂層１０５の表示パネル１０１とは反対側の表面付近に、硬化性樹脂層１０５を所望のパターンで露光可能なマスクを配置し、このマスクを通過した光で露光することとなる。
【０１００】
上述の露光装置は、光硬化性樹脂を用いてマイクロレンズを形成する用途に限られず、感光性樹脂（ネガ型、ポジ型を問わず）を露光する用途に広く利用することができる。
【０１０１】
上記の実施形態では、照射光１０６をスキャンすることによって、光硬化性樹脂層１０５を所望のマイクロレンズ形状になるように露光したが、あらかじめ、照射光１０６を所望のマイクロレンズ形状が得られるような配光分布を有するように調整することにより、スキャンを行わずにマイクロレンズを形成することもできる。この方法では、スキャンに要する時間が削減できるため、短時間でマイクロレンズが形成でき、生産性が向上する。
【０１０２】
例えば、図９（ｂ）に示すレンチキュラーレンズ１０７を作製する場合は、図９（ａ）に模式的に示す配光分布を有するように照射光１０６を調整すればよい。すなわち、Ｘ方向に対しては、θ１からθ２の範囲内（図３（ｂ）参照）で、一定の強度を有し、Ｙ方向に対しては、入射角度が大きくなるにつれて、強度が弱くなるような配光分布を有する照射光とすればよい。
【０１０３】
例えば、図１０（ａ）に示すように、光源７０１からの光を一旦集光し、その集光ポイントに段階的（または連続的に）に透過率の異なる領域を有するマスク７０２を挿入することで、配光分布を調整することができる。
【０１０４】
マスク７０２としては、光源７０１からの光の配光分布に依存するが、例えば、通常の円形のレンズを作製する場合は、図１０（ｂ）に示すように、マスク７０２を透過した光の配光分布が中心部に近いほど強くなるような分布となるように、透過率が中心領域７０２ａから周辺領域７０２ｂに亘って段階的（または連続的に）変化するものを用いる。上記のレンチキュラーレンズ１０７を作製する場合には、一方向（Ｙ方向）においてのみ光の強度分布が中心部にいくほど強くなるような配光分布にするとよい。
【０１０５】
また、スキャンによる露光と配光分布の制御による露光の両方を併用してもよい。この場合、例えばＸ方向またはＹ方向のどちらか一方向をスキャンし、他方の配光分布を調整することも可能である。
【０１０６】
上述したように、ストライプ配列の画素を有する表示パネルに対して、列方向（Ｙ方向）にのみ集光効果を有するレンチキュラーレンズ１０７を用いると、図９に示したように、行方向（Ｘ方向）の強度分布は一定でよいので、均一な配光分布の光を出射する光源を用いれば、配光分布をほとんど調節する必要がないので、マイクロレンズ（レンチキュラーレンズ）の形状の制御が比較的容易である。
【０１０７】
なお、レンチキュラーレンズ１０７を用いると、カラーフィルタの配列方向（Ｘ方向）には集光効果がないため、その分マイクロレンズによって明るさを向上する効果が低下するが、液晶表示パネルは、通常、図１１に示すように、行方向（Ｘ方向）における隣接画素（および絵素）間の間隔ＷXよりも、列方向（ソースバスライン（ビデオライン）が延設される方向）における隣接画素間の間隔（ＷY）の方が広い。すなわち、Ｙ方向に集光効果を有するレンズを用いる方が、Ｘ方向に集光効果を有するレンズを用いるよりも明るさを向上する効果が高く、Ｘ方向に集光効果を有しないことによる明るさ向上効果の低下は小さい。
【０１０８】
一方向にのみ集光効果を有するマイクロレンズを用いる場合には、カラーフィルタの色配列が図１１に示したストライプ配列の場合に限られず、例えば、図１２に示すような斜め配列の場合においても、上記と同じ理由により、マイクロレンズが集光効果を有する方向を表示パネルの列方向（ビデオライン方向）とすることが好ましい。
【０１０９】
もちろん、本発明の実施形態によると、一方向にのみ集光効果を有するレンチキュラーレンズに限られず、Ｘ方向とＹ方向とに集光効果を有するマイクロレンズを有する液晶表示パネルを作製することもできる。
【０１１０】
例えば、図１３（ａ）および（ｂ）に模式的に示すように、青色絵素１０４Ｂを透過した光を用いて、上述したように露光用照射光のスキャンスピードや配光分布を調節することによって、緑色絵素１０４Ｇ、青色絵素１０４Ｂ及び赤色絵素１０４Ｒのそれぞれに対応し、Ｘ方向およびＹ方向に曲率を有する硬化部分１０５’’を形成することができる。この後、現像工程を経ることによって、Ｘ方向およびＹ方向に集光効果を有するマイクロレンズ（例えば矩形レンズ）が絵素毎に形成されたマイクロレンズアレイが得られる。
【０１１１】
なお、露光工程は、液晶表示パネルに液晶材料を注入する前に行っても良い。但し、この場合には、液晶材料を注入した後で液晶材料の配向のための熱処理工程で、マイクロレンズアレイが例えば百数十℃に加熱されるため、光硬化性樹脂としては、熱処理によって、形状変化や剥がれなどマイクロレンズの集光効果に影響を及ぼす変化が発生しない樹脂を用いることが好ましい。
【０１１２】
また、上記の実施形態では、図２Ａに示したように、赤カラーフィルタ１０４Ｒおよび緑カラーフィルタ１０４Ｇは露光用照射光として用いた４００ｎｍ近辺の光をほとんど透過せず、青カラーフィルタ１０４Ｂだけが４００ｎｍ近辺の光を十分に透過するカラーフィルタを用いた例を説明したが、これに限られない。
【０１１３】
例えば、図１４に示すような分光透過率特性を有するカラーフィルタを用いても、上述した方法によって、所定の形状のマイクロレンズを形成することができる。すなわち、青カラーフィルタ１０４Ｂと赤カラーフィルタ１０４Ｒが露光用の４００ｎｍ付近の光を透過する場合には、青カラーフィルタ１０４Ｂおよび赤カラーフィルタ１０４Ｒの透過率を考慮して、露光用照明光のスキャンスピードを調整する、および／または、照明光の配光分布を調整すれば良い。図１４では、青と赤の２色のカラーフィルタが露光用光を透過する場合を示したが、青と緑の２色の場合でも同様であり、さらに、青、緑および赤のすべてのカラーフィルタが露光用の光を透過する場合でも同じである。
【０１１４】
上記の実施形態では、ＴＦＴ基板１０２側にマイクロレンズアレイを形成したが、対向基板１０３側に形成してもよい。もちろん、ＴＦＴ型液晶表示装置に限られず、ＭＩＭを用いた液晶表示装置や、スイッチング素子を有しないパッシブ型の液晶表示装置を用いることもできる。
【０１１５】
上述のようにして得られたマイクロレンズアレイ付き液晶表示パネル１００は、例えば、図１５に模式的に示すように、指向性の高いバックライト１２０と組み合わせて用いることが好ましい。指向性の高い光をマイクロレンズに入射させることによって高い集光効率が得られる。
【０１１６】
図１５に示した液晶表示装置２００は、マイクロレンズ１０７を備える液晶表示パネル１００と、液晶パネル１００のマイクロレンズ１０７側に配置された高指向性バックライト１２０とを備えている。バックライト１２０は、光源１２２と、光源１２２から出射された光を受けてその中を伝播させながら液晶表示パネル１００に向けて出射する導光板１２４と、導光板１２４の裏面から出射された光を導光板１２４に向けて反射する反射板１２６とを有している。なお、図１５では主要部品のみ記載し、液晶表示パネル１０１の前後に設けられる偏光板などは省略している。
【０１１７】
液晶表示装置２００に好適に用いられるバックライトとして、例えば、ＩＤＷ’０２  「Ｖｉｅｗｉｎｇ  Ａｎｇｌｅ  Ｃｏｎｔｒｏｌ  ｕｓｉｎｇ  Ｏｐｔｉｃａｌ  Ｍｉｃｒｏｓｔｒｕｃｔｕｒｅｓ  ｏｎ  Ｌｉｇｈｔ−Ｇｕｉｄｅ  Ｐｌａｔｅ  ｆｏｒ  Ｉｌｌｕｍｉｎａｔｉｏｎ  Ｓｙｓｔｅｍ  ｏｆ  Ｍｏｂｉｌｅ  Ｔｒａｎｓｍｉｓｓｉｖｅ  ＬＣＤ  Ｍｏｄｕｌｅ  」Ｋ．ＫＡＬＡＮＴＡＲ  ｐ５４９−５５２や特開２００３−３５８２４号公報、Ｍ．Ｓｈｉｎｏｈａｒａ、ｅｔ  ａｌ．：Ｏｐｔｉｃａｌ  Ｓｏｃｉｅｔｙ  ｏｆ  Ａｍｅｒｉｃａｎ  Ａｎｎｕａｌ  Ｍｅｅｔｉｎｇ  Ｃｏｎｆｅｒｅｎｃｅ  Ｐｒｏｇｒａｍ、Ｖｏｌ．１０、ｐ．１８９（１９９８）、特表平８−５１１１２９号公報などに記載されているバックライトを挙げることができる。
【０１１８】
上述したように、半透過型液晶表示装置では、光を透過する領域（絵素の開口部）が透過型に比べて小さいため、画素ピッチを小さくすることによって、表示領域の全面積に対する透過領域の面積の比率（絵素の開口部の面積比率）の低下が透過型よりも顕著である。従って、半透過型液晶表示装置にマイクロレンズを用いて実効的な開口率を向上させることによる効果は透過型よりも大きいと言える。上述の実施形態における液晶表示装置の絵素の開口部は、半透過型液晶表示装置においても絵素の開口部に対応する。但し、半透過型液晶表示装置においては、絵素内における開口部（透過領域）の配置は種々あり得るが、上述したように行方向に延びるレンチキュラーレンズを用いる場合には、行方向に隣接する絵素の開口部（透過領域の間に位置する遮光領域（反射領域も含む）ができるだけ細くなるように開口部（透過領域）を配置することが好ましい。
【０１１９】
例えば、図１６（ａ）に模式的に示す絵素２０４のように、絵素２０４の中央部に透過領域（絵素の開口部）２０４ｔを設け、その周辺に反射領域２０４ｒを配置すると、隣接する絵素の透過領域２０４ｔの間には、ソースバスラインだけでなく、反射領域２０４ｒが存在することになるので、隣接する透過領域２０４ｔの間の間隔（遮光領域の幅）が広くなる。これに対し、図１６（ｂ）に模式的に示すように、透過領域２０４ｔ’の周辺に反射領域２０４ｒ’を設けない配置とすると、隣接する透過領域２０４ｔ’間の遮光領域の幅を細くできるため好ましい。なお、透過領域は、典型的には、ＴＦＴ基板に形成される透明画素電極によって規定され、反射領域は、反射画素電極によって規定される。
【０１２０】
上記の実施形態では、カラーフィルタを有する液晶表示パネルを用いたが、これに限られず、例えばゲストホスト液晶表示装置のように、表示媒体層（液晶層）に混合した色素等を用いてカラー表示を行う表示装置も同様に適用できる。さらに、液晶表示パネルに限られず、他の非自発光型表示パネル（例えば、エレクトロクロミック表示パネル、電気泳動型表示パネル、トナー表示パネルやＰＬＺＴパネル）にも適用できる。
【０１２１】
また、上記実施形態の液晶表示装置に用いたマイクロレンズの頂点部に平坦部を設けることによって、マイクロレンズによる輝度向上効果をさらに増大させることができる。
【０１２２】
たとえば、図１７に示すマイクロレンズアレイ付き表示パネル１００’は、頂点部に平坦部１０７’ｆを有するマイクロレンズ１０７’を備えているので、図３に示したマイクロレンズアレイ付き表示パネル１００よりも正面輝度を高くできる。
【０１２３】
図１７に示すように、マイクロレンズがレンチキュラーレンズの場合は、平坦部１０７’ｆの幅は、絵素の開口部（１０４Ｒ、１０４Ｇ、１０４Ｂ）のレンズの集光方向の幅と略同じにすることが好ましい。もちろん、平坦部１０７’ｆの幅は絵素の開口部（１０４Ｒ、１０４Ｇ、１０４Ｂ）のレンズの集光方向の幅よりも小さくてもよいが、平坦部１０７’ｆを設けることによる効果が小さくなる。なお、ここでも簡単のために、各絵素の開口部（透過領域）に対応する領域を絵素１０４Ｒ、１０４Ｇ、１０４Ｂとして図示している。
【０１２４】
このように平坦部１０７’ｆを有するマイクロレンズ１０７’を用いると、平坦部１０７’ｆを通過した光は、図１８（ａ）に示すように、マイクロレンズ１０７’で曲げられることなく、そのまま絵素の開口部を通過する。従って、正面輝度が高い高指向性のバックライトを用いると、高い正面輝度を得ることができる。一方、マイクロレンズ１０７’の平坦部１０７’ｆ以外の領域（マイクロレンズ１０７’の曲面部）に入射する光は、マイクロレンズ１０７’で屈折され絵素の開口部を通過する。マイクロレンズ１０７’の曲面部に入射する光は、マイクロレンズ１０７’を設けない場合にはＢＭ等で蹴られる光であるので、光の利用効率が向上する。
【０１２５】
これに対し、図３に示した平坦部を有しないマイクロレンズ１０７を用いると、光の利用効率は向上するものの、図１８（ｂ）に示すように、高指向性バックライトから出射された平行度の高い光のほとんど全て（光軸を通る光以外）がマイクロレンズ１０７によって曲げられるため、正面輝度が多少低下することになる。すなわち、高指向性バックライトを用いることによる、正面輝度の向上効果が低減する。
【０１２６】
平坦部を設けることによる正面輝度の向上効果は、上記の例に限られない。例えば、図１９に示すマイクロレンズアレイ付き表示パネル１００’’のように、表示パネルの各絵素に対応して配列され、縦・横の両方向に集光効果を有するマイクロレンズ１０７’’に平坦部１０７’’ｆを設けてもよい。この場合、平坦部１０７’’ｆのサイズは、縦横とも絵素の開口部の縦・横サイズと略同じにすることが好ましい。このような構成を採用することによって、図１８（ａ）および（ｂ）を参照して説明した効果が、縦・横の両方向について得ることができる。この場合も平坦部１０７’’ｆの幅は、絵素の開口部の幅より小さくても良いが、効果が低下するのは上述のとおりである。
【産業上の利用可能性】
【０１２７】
本発明によると、表示パネルの絵素の開口部（透過領域）を透過した光を利用してマイクロレンズアレイを形成するので、自己整合的にマイクロレンズが形成される。従って、マスクのアライメントが不要であり、製造プロセスを簡略化できるという利点とともに、マイクロレンズと絵素の開口部との位置合わせ精度が高いという利点が得られる。
【０１２８】
本発明によると、物理的な画素開口率が低い直視型の表示装置の輝度向上及び広視野角化が可能である。例えば、モバイル機器の表示装置として用いられている透過型および半透過型液晶表示装置の視野角を狭めることなく、輝度を向上することができる。特に、透過領域の開口率が低い半透過型液晶表示装置に適用することによって、広い視野角を効果的に実現しながら、高い輝度を得ることができる。
【図面の簡単な説明】
【０１２９】
【図１】（ａ）から（ｄ）は、本発明による実施形態のマイクロレンズアレイ付き液晶表示パネル１００の製造方法を説明するための模式的な断面図である。
【図２Ａ】本発明による実施形態の液晶表示パネル１０１が有するカラーフィルタの分光透過率特性を示すグラフである。
【図２Ｂ】ＬＥＤ光源の発光スペクトルの例を示すグラフである。
【図３】（ａ）から（ｃ）は、本発明による実施形態のマイクロレンズアレイ付き液晶表示パネル１００のマイクロレンズの構成および露光工程を説明するための模式図である。
【図４】本発明による実施形態のマイクロレンズアレイ付き液晶表示パネルの製造方法における露光方法を説明するための模式図である。
【図５】本発明による実施形態のマイクロレンズアレイ付き液晶表示パネルの製造方法における露光方法を説明するための模式図である。
【図６】本発明による実施形態の露光装置の構成を模式的に示す図である。
【図７】本発明による他の実施形態の露光装置の構成を模式的に示す図である。
【図８】本発明による更に他の実施形態の露光装置の構成を模式的に示す図である。
【図９】（ａ）および（ｂ）は、本発明による実施形態のマイクロレンズアレイ付き液晶表示パネルの製造方法における露光工程で用いられる光の配光分布を説明するための模式図である。
【図１０】（ａ）および（ｂ）は、本発明による実施形態のマイクロレンズアレイ付き液晶表示パネルの製造方法における露光工程で用いられる光の配光分布を調整する方法を説明するための図であり、（ａ）は光学系を示す模式図であり、（ｂ）はマスクの構成を示す模式図である。
【図１１】本発明による実施形態のマイクロレンズアレイ付き液晶表示パネルの画素配列の例を示す模式図である。
【図１２】本発明による実施形態のマイクロレンズアレイ付き液晶表示パネルの画素配列の他の例を示す模式図である。
【図１３】（ａ）および（ｂ）は、本発明による実施形態のマイクロレンズアレイ付き液晶表示パネルのマイクロレンズの他の構成および露光工程を説明するための模式図である。
【図１４】本発明による実施形態のマイクロレンズアレイ付き液晶表示パネルが有する他のカラーフィルタの分光透過率特性を示すグラフである。
【図１５】本発明による実施形態の液晶表示装置の構成を模式的に示す図である。
【図１６】（ａ）および（ｂ）は、本発明による実施形態の半透過型液晶表示装置の絵素における透過領域および反射領域の配置例を示す模式図である。
【図１７】本発明による他の実施形態のマイクロレンズアレイ付き液晶表示パネルのマイクロレンズの構成を模式的に示す図である。
【図１８】（ａ）および（ｂ）は、マイクロレンズに平坦部を設けることによる効果を説明するための模式図であり（ａ）は平坦部を設けた場合、（ｂ）は平坦部を設けない場合の光の進行方向を示している。
【図１９】本発明による更に他の実施形態のマイクロレンズアレイ付き液晶表示パネルのマイクロレンズの構成を模式的に示す図である。
【図２０】（ａ）および（ｂ）は、従来のマイクロレンズの製造方法を説明するための模式図である。
【符号の説明】
【０１３０】
１００  マイクロレンズアレイ付き液晶表示パネル
１０１  液晶表示パネル
１０２  ＴＦＴ基板
１０３  対向基板
１０４Ｒ  赤色絵素（赤カラーフィルタ）
１０４Ｇ  緑色絵素（緑カラーフィルタ）
１０４Ｂ  青色絵素（青カラーフィルタ）
１０５  光硬化性樹脂層
１０５’、１０５’’  光硬化性樹脂層の硬化した部分
１０７  マイクロレンズ
【図１】
0003708112.tif 000002
【図２Ａ】
0003708112.tif 000003
【図２Ｂ】
0003708112.tif 000004
【図３】
0003708112.tif 000005
【図４】
0003708112.tif 000006
【図５】
0003708112.tif 000007
【図６】
0003708112.tif 000008
【図７】
0003708112.tif 000009
【図８】
0003708112.tif 000010
【図９】
0003708112.tif 000011
【図１０】
0003708112.tif 000012
【図１１】
0003708112.tif 000013
【図１２】
0003708112.tif 000014
【図１３】
0003708112.tif 000015
【図１４】
0003708112.tif 000016
【図１５】
0003708112.tif 000017
【図１６】
0003708112.tif 000018
【図１７】
0003708112.tif 000019
【図１８】
0003708112.tif 000020
【図１９】
0003708112.tif 000021
【図２０】
0003708112.tif 000022